(57)【要約】【課題】天井カセット式の空調機の吸気グリルに取り付け可能で洗浄可能な薄型中・高性能フィルタを提供する。【解決手段】自己融着性の第一の樹脂繊維が網目状に絡み合って第一の樹脂繊維同士が自己融着した支持体と、第一の樹脂繊維よりも細い第二の樹脂繊維が網目状に絡み合って、その網目サイズが数μm以下であり、支持体に接着されるフィルタ層と、を含むプリーツ状の濾材と、濾材の四周を支持する耐水材料で構成された枠と、を含み、吸気グリル３４の本体２０の側に取り付けられ、その厚さＨＰ１と吸気グリル３４の厚さＨＧとの合計厚さを、吸気グリル３４の室内側の表面とケーシング２１内に収容されている各機器２２，２３，２４，２５の各下端面の内の最も下側の下面２０ａとの距離よりも薄くする。【選択図】図１
2017110826.tif 000002
【特許請求の範囲】
【請求項１】
ケーシング内に送風機と熱交換器と付属機器とを収容し、天井板の上に配置される本体と、
吸気グリルを含み、天井板の室内側の面に前記本体に対向するように取り付けられる天井化粧パネルと、を含む天井カセット式空調機に用いられる洗浄可能な薄型中・高性能フィルタであって、
自己融着性の第一の樹脂繊維が網目状に絡み合って前記第一の樹脂繊維同士が自己融着した支持体と、前記第一の樹脂繊維よりも細い第二の樹脂繊維が網目状に絡み合って、その網目サイズが数μm以下であり、前記支持体に接着されるフィルタ層と、を含むプリーツ状の濾材と、
前記濾材の四周を支持する耐水材料で構成された枠と、を含み、
前記吸気グリルの本体側の面に取り付けられ、その厚さと前記吸気グリルの厚さとの合計厚さが、前記吸気グリルの室内側の表面と前記ケーシング内に収容されている前記各機器の各下端面の内の最も下側の面との距離よりも薄いこと、
を特徴とする洗浄可能な薄型中・高性能フィルタ。
【請求項２】
請求項１に記載の洗浄可能な薄型中・高性能フィルタであって、
その厚さと前記吸気グリルの厚さの合計厚さが前記天井化粧パネルよりも薄いこと、
を特徴とする洗浄可能な薄型中・高性能フィルタ。
【請求項３】
請求項１または２に記載の洗浄可能な薄型中・高性能フィルタであって、
前記枠は、金属製であり、前記吸気グリルの本体側の面に固定具によって固定されること、
を特徴とする洗浄可能な薄型中・高性能フィルタ。
【請求項４】
請求項１から３のいずれか１項に記載の洗浄可能な薄型中・高性能フィルタであって、
前記第二の樹脂繊維は、非帯電繊維であること、
を特徴とする洗浄可能な薄型中・高性能フィルタ。
【請求項５】
請求項１から４のいずれか１項に記載の洗浄可能な薄型中・高性能フィルタであって、
前記第一の樹脂繊維はポリエチレンテレフタレート製であって、融点の高い糸状の芯線と芯線の回りを環状に覆い芯線よりも融点の低い鞘部とを有し、鞘部が溶融して芯線と鞘部とが溶着されていること、
を特徴とする洗浄可能な薄型中・高性能フィルタ。
【請求項６】
請求項１から５のいずれか１項に記載の洗浄可能な薄型中・高性能フィルタであって、
前記支持体と前記フィルタ層とはウレタンスプレー或いはホットメルトパウダー接着剤、又は超音波エンボスで接着されていること、
を特徴とする洗浄可能な薄型中・高性能フィルタ。
【発明の詳細な説明】
【技術分野】
【０００１】
本発明は、空調装置に取り付けて使用する洗浄可能な中・高性能パネルフィルタの構造に関する。
【背景技術】
【０００２】
近年、ＰＭ２．５等のよる大気環境汚染が社会的な問題となっており、このような大気中の微小粒子の捕集、空気清浄への関心が高まってきている。この空気清浄に有効な手段が中・高性能フィルタの利用である。
【０００３】
中・高性能のフィルタは、例えば、非特許文献１において、試験方法形式２が適用されるやや微細な粉塵用フィルタユニットに対応するもの等をいう。上記の「試験方法形式２」では粒子捕集率測定用粉塵には関東ローム層を材料としたＪＩＳ１１種粉体が規定されている（非特許文献２、３参照）。このような微小径の粉体を捕集するフィルタは、例えば、濾材繊維の折り重なりによって構成される網目サイズが１〜数μm以下のものが多く用いられる。また、このような中・高性能フィルタを洗浄、再利用する方法も提案されている（例えば、特許文献１参照）。
【０００４】
このような中・高性能フィルタは、サイズ（特に厚さ）が大きくなることから、大型の空調機器の内部に配置したり（特許文献２参照）、天井カセット式空調機の内部スペースに配置したりすることが多く、簡便に取り付けることが難しいという問題があった。一方、天井カセット式の空調機器では、空気吸込み口に、例えば、サランネットフィルタと呼ばれる厚さの薄い樹脂製の汎用ネットフィルタを取り付けている場合が多い（例えば、特許文献３参照）。このような汎用品のフィルタは、大きな塵埃を除去することは可能であるが、近年、問題になっているＰＭ２．５のような微粒子を除去することは困難であった。
【０００５】
この対策として、天井カセット式の空調機の吸気グリルの内側に汎用のサランネットフィルタに代えて中・高性能フィルタを配置することが考えられるが、接地スペースが狭いことから、通気面積が小さくなり、詰まりやすく、使い捨てで頻繁に廃棄、交換することが必要となってしまうという問題があった。
【先行技術文献】
【特許文献】
【０００６】
【特許文献１】特許第５４１６００７号明細書
【特許文献２】特開２０１４−１９０６４０号公報
【特許文献３】特許第５４０１３５５号明細書
【非特許文献】
【０００７】
【非特許文献１】ＪＩＳ  Ｂ  ９９０８−２００１  「換気用エアフィルタユニット・換気用電気集じん器の性能試験方法」（２００１−０２−２０改正）、日本規格協会
【非特許文献２】ＪＩＳ  Ｂ  ９９０８−２００１、日本規格協会
【非特許文献３】ＪＩＳ  Ｚ  ８９０１、日本規格協会
【発明の概要】
【発明が解決しようとする課題】
【０００８】
そこで、本発明は、天井カセット式の空調機の吸気グリルに取り付け可能で洗浄可能な薄型中・高性能フィルタを提供すること目的とする。
【課題を解決するための手段】
【０００９】
本発明の洗浄可能な薄型中・高性能フィルタは、ケーシング内に送風機と熱交換器と付属機器とを収容し、天井板の上に配置される本体と、吸気グリルを含み、天井板の室内側の面に前記本体に対向するように取り付けられる天井化粧パネルと、を含む天井カセット式空調機に用いられる洗浄可能な薄型中・高性能フィルタであって、自己融着性の第一の樹脂繊維が網目状に絡み合って前記第一の樹脂繊維同士が自己融着した支持体と、前記第一の樹脂繊維よりも細い第二の樹脂繊維が網目状に絡み合って、その網目サイズが数μm以下であり、前記支持体に接着されるフィルタ層と、を含むプリーツ状の濾材と、前記濾材の四周を支持する耐水材料で構成された枠と、を含み、前記吸気グリルの本体側の面に取り付けられ、その厚さと前記吸気グリルの厚さとの合計厚さが、前記吸気グリルの室内側の表面と前記ケーシング内に収容されている前記各機器の各下端面の内の最も下側の面との距離よりも薄いこと、を特徴とする。
【００１０】
本発明の洗浄可能な薄型中・高性能フィルタにおいて、その厚さと前記吸気グリルの厚さの合計厚さが前記天井化粧パネルよりも薄いこと、としても好適である。
【００１１】
本発明の洗浄可能な薄型中・高性能フィルタにおいて、前記枠は、金属製であり、前記吸気グリルの本体側の面に固定具によって固定されること、としても好適である。
【００１２】
本発明の洗浄可能な薄型中・高性能フィルタにおいて、前記第二の樹脂繊維は、非帯電繊維であること、としても好適である。
【００１３】
本発明の洗浄可能な薄型中・高性能フィルタにおいて、前記第一の樹脂繊維はポリエチレンテレフタレート製であって、融点の高い糸状の芯線と芯線の回りを環状に覆い芯線よりも融点の低い鞘部とを有し、鞘部が溶融して芯線と鞘部とが溶着されていること、としても好適である。
【００１４】
本発明の洗浄可能な薄型中・高性能フィルタにおいて、前記支持体と前記フィルタ層とはウレタンスプレー或いはホットメルトパウダー接着剤、又は超音波エンボスで接着されていること、としても好適である。
【図面の簡単な説明】
【００１５】
【図１】本発明の実施形態における薄型中・高性能フィルタが取り付けられた天井カセット式空調機の断面図である。
【図２】図１に示す天井カセット式空調機の天井化粧パネルの平面図である。
【図３】図１に示す天井カセット式空調機の本体と天井化粧パネルの取り付けを示す説明図である。
【図４】本発明の実施形態におけるフィルタの斜視図である。
【図５】本発明の実施形態におけるフィルタの濾材を示す斜視図である。
【図６】本発明の実施形態におけるフィルタの濾材の構成を示す説明図である。
【図７】本発明の他の実施形態におけるフィルタが取り付けられた他の天井カセット式空調機の断面図である。
【図８】図７に示す天井カセット式空調機の本体と天井化粧パネルの取り付けを示す説明図である。
【発明を実施するための形態】
【００１６】
以下、図面を参照しながら本発明の実施形態の薄型中・高性能フィルタ４０（以下、フィルタ４０という）について説明する。最初に図１〜３を参照しながら、本発明の実施形態のフィルタ４０が取り付けられている天井カセット式空調機１００について説明する。
【００１７】
図１に示すように、天井カセット式空調機１００は、天井板１１の開口１２の上側にボルト２８で吊り下げて取り付けられる本体２０と、天井板１１の室内側面１３の側から本体２０に対向するように取り付けられる天井化粧パネル３０とによって構成されている。
【００１８】
本体２０は、四角い解放箱型のケーシング２１と、ケーシング２１の内面に取り付けられてモータ２２によって駆動される送風機２３と、ケーシング２１に取りつけられた熱交換器２５と、熱交換器２５の下側に配置されたドレンパン２６と、下側の開口が四角く、送風機２３側の開口が送風機２３の入口径よりも少し大きい円形となっている吸気ノズル２４とを備えている。ケーシング２１の下側の外側面には溝形の補強材２７が取り付けられており、この補強材２７の上側のフランジに通したボルト２８によって図示しない天井の強度部材から吊り下げ固定されている。ドレンパン２６は熱交換器２５の付属機器であり、吸気ノズル２４は送風機２３の付属機器である。また、ケーシング２１の内部には、モータ２２の駆動制御を行う制御装置等の他の付属機器も取り付けられている。
【００１９】
図３に示すように、天井板１１の上側に取り付けられたケーシング２１の下側の開口からは、ドレンパン２６の下面と、吸気ノズル２４の吸込み側端面とが露出している。ドレンパン２６の下面と吸気ノズル２４の吸込み側端面とは同一面で、ケーシング２１の中に収容されている送風機２３、熱交換器２５、ドレンパン２６や吸気ノズル２４等の付属機器の各下端面の内、最も下側に位置する下面２０ａを構成する。図１に示す実施形態では、この下面２０ａは、天井板１１の室内側面１３よりも距離Ｄ１だけ天井板１１の上側に入っている。
【００２０】
図２に示すように、天井化粧パネル３０は、四角形状で、各辺の近傍に配置されて本体２０からの空気を吹き出す４つの空気吹き出し口３２と中央に配置された幅Ｗ２、長さＬ２の略四角形状の開口３７とを備える外枠３１と、外枠３１の中央の開口３７に嵌めこまれる吸気グリル３４とを備えている。吸気グリル３４は、開口３７に嵌り込む幅Ｗ２、長さＬ２の略四角形状のグリル枠３４ａと、その中央部の幅Ｗ１、長さＬ１の略四角状領域に設けられ、空気を吸い込む複数のスリットで構成されるグリル部３５とを有している。図１に示すように、吸気グリル３４は、グリル枠３４ａのヒンジ３６を中心に回転自在に取り付けられており、図１に示すように、外枠３１の開口３７の中に嵌めこんだり、開口３７から離間させた開放状態としたりすることができる。図１、図３に示すように、吸気グリル３４の厚さはＨＧであり、図２に示すように、天井化粧パネル３０の四隅には、図１、図３に示すように天井化粧パネル３０を本体２０の補強材２７の下フランジに固定するボルト３９を通すボルト穴３８が設けられている。また、図１、図３に示すように、天井化粧パネル３０の厚さはＨ２となっている。
【００２１】
図３に示すように、吸気グリル３４の上面（本体２０側の面）には、フィルタ４０が固定されており、吸気グリル３４を外枠３１の開口３７に嵌めこむと、グリル部３５と本体２０の吸気ノズル２４の下面との間にフィルタ４０がセットされ、図１に示すように、吸込み空気は、グリル部３５に設けられたスリットからフィルタ４０に入り、フィルタ４０を通過して吸気ノズル２４の下面から吸い込まれる。また、図４に示すようにフィルタ４０は、アルミニウム等の金属製の枠４１の中に、プリーツ状に成形された濾材４２を取り付けたものであり、枠４１が吸気グリル３４の上面の固定具（図示せず）に固定されている。このため、図１に示すように、吸気グリル３４を解放状態とした場合でも、フィルタ４０が吸気グリル３４から外れて落下することがない。
【００２２】
図３に示すように、吸気グリル３４を外枠３１の開口３７に嵌めんだ状態では、吸気グリル３４の下面（室内側の面）は、天井化粧パネル３０の外枠３１の下面（室内側の面）と略同一面となる。一方、吸気グリル３４の本体２０側の面に固定されたフィルタ４０の厚さはＨＰであり、その上面（本体側の面）は、天井化粧パネル３０の上面３０ａ（本体側の面）よりも若干突出している。また、図３に示すように、天井化粧パネル３０の空気吹き出し口３２の周囲の壁は、本体２０の側に向かって突出しており、この突出部３２ａの外形寸法は本体２０のドレンパン２６とケーシング２１の一部を切り欠いて構成された凹部２６ａの内径寸法と同一寸法となっている。
【００２３】
図３に示すように、天井板１１の上部に取り付けられた本体２０の凹部２６ａに天井化粧パネル３０から本体側に突出した突出部３２ａをはめ込み、天井化粧パネル３０の上面３０ａを天井板１１の室内側面１３に合わせてボルト３９を天井化粧パネル３０のボルト穴３８を通して本体２０の補強材２７の下側フランジのねじ穴にねじ込むと、天井化粧パネル３０の空気吹き出し口３２は本体２０の内部の空気流路と連通し、吸気グリル３４のグリル部３５とフィルタ４０と、が吸気ノズル２４の入口開口と対向した位置に配置される。図１の拡大図に示すように、フィルタ４０の上面の天井化粧パネル３０の上面３０ａからの突出寸法ｄは、ケーシング２１の中に収容されている各機器２３，２５，２６，２４の各下端面の内、最も下側に位置する下面２０ａが天井板１１の室内側面１３より天井板１１の上側に入っている距離Ｄ１よりも小さくなっている（ｄ＜Ｄ１）。
【００２４】
したがって、図１の拡大図に示すように、フィルタ４０の上面と上記の下面２０ａとの間には、隙間Ｓ１（＝Ｄ１−ｄ）が空いている。つまり、本実施形態では、図１の拡大図に示すように、吸気グリル３４の前記吸気グリルの厚さＨＧとフィルタ４０の厚さＨＰ１の合計厚さ（ＨＧ＋ＨＰ１）が、吸気グリル３４の室内側の表面とケーシング２１内に収容されている送風機２３、熱交換器２５、ドレンパン２６、吸気ノズル２４等の各機器の各下端面の内の最も下側の下面２０ａとの距離Ｈ１、即ち、天井化粧パネル３０の厚さＨ２と、下面２０ａが天井板１１の室内側面１３より天井板１１の上側に入っている距離Ｄ１の合計距離（Ｈ２＋Ｄ１）よりも薄くなっている。
【００２５】
このように、フィルタ４０を含む天井化粧パネル３０を本体２０及び天井板１１の室内側面１３に取り付けると、図１に示すように、吸気グリル３４のグリル部３５のスリットからフィルタ４０を通った室内空気は吸気ノズル２４の下端から吸い込まれ、送風機２３によって熱交換器２５を通過して温度が低下し（冷房時）、空気吹き出し口３２から室内に向かって吹き出す。そして、フィルタ４０によって室内空気中のＰＭ２．５等の微粒子を除去することができる。
【００２６】
次に、本実施形態のフィルタ４０の構造の詳細について、図４〜図６を参照して説明する。図４に示すように、外形幅ＷＰ、外形長さＬＰ、厚さＨＰで、四周に長さＬＦのフランジが中央に向かって突出した金属製の枠４１の中に、プリーツ状に成形された濾材４２を取り付けたものである。枠４１の外形幅ＷＰは、吸気グリル３４の幅Ｗ２よりも短く、濾材４２の露出部分の幅はＷ２−２×ＬＦで、この長さは、吸気グリル３４のグリル部３５の幅Ｗ１よりも大きい。また、枠４１の外形長さＬＰは、吸気グリル３４の長さＬ２よりも短く、濾材４２の露出部分の長さはＬ２−２×ＬＦで、この長さは、吸気グリル３４のグリル部３５の長さＬ１よりも長い。枠４１の材料は、洗浄に耐えうるものであればよく、例えば、アルミ製、ステンレス製等の金属製であってもよいし、硬質の樹脂成型品であってもよい。
【００２７】
図５に示すように、濾材４２は、枠４１の厚さＨＰからフランジの肉厚分だけ薄い厚さＨで、ピッチＰで波型に繰り返し折り返されてプリーツ状に成形されている。また、表面には、プリーツ形状を保持するためのＵ字型の樹脂製のリテーナが取り付けられている。室内空気は、図１に示すように、プリーツの山と谷との間の部分を通過するので、フィルタ４０の空気通過面積は、厚さＨ×長さＬ×（幅ＷＰ／Ｐ）×２となる。
【００２８】
図６に示すように、濾材４２は、ポリエチレンテレフタレート等の自己融着性の第一樹脂繊維４８が網目状に絡み合わされて第一樹脂繊維４８同士が自己融着した支持体４５と、第一樹脂繊維４８よりも細い第二樹脂繊維４６ａが網目状に絡み合わされ、その網目サイズが数μm以下であり、支持体４５に接着層４７で接着されるフィルタ層４６とで構成されている。第一樹脂繊維４８は、融点の高い糸状ポリエチレンテレフタレートの芯線４８ａと芯線４８ａの回りを環状に覆い、芯線４８ａよりも融点の低いポリエチレンテレフタレートの鞘部４８ｂとを有し、鞘部４８ｂが溶融して芯線４８ａと鞘部４８ｂとが自己融着することによって形成されており、比較的強度が高い繊維であり、洗浄の際の水圧等によってフィルタ４０のプリーツ形状が変形しないような強度を確保するものである。また、支持体４５とフィルタ層４６との接着は、ウレタンスプレーによって行っている。これにより、洗浄後の乾燥工程でのにおいの発生を抑制し、効果的にフィルタ４０の洗浄、再生を行うことができる。なお、ウレタンスプレーに代えて、ＥＶＡ等のホットメルトパウダー接着剤、又は超音波エンボスによって接着するようにしてもよい。
【００２９】
フィルタ４０の洗浄は、例えば、上部洗浄液噴射ノズルと、下部洗浄液噴射ノズルと、高圧ガス噴射ノズルとを有する装置にフィルタ４０を通してフィルタ４０を洗浄する方法を用いることができる。この場合、まず、上部洗浄液噴射ノズルによって、移送されるフィルタ４０に対して上側から洗浄液を散布し、フィルタ４０の上面及び上面側内部に捕集された異物を洗浄液に浸し、フィルタ４０の上面及び上面側内部の繊維から異物を剥離させる。次に、移送されるフィルタに対して下側から洗浄液を散布し、フィルタの下面及び下面側内部に捕集された異物を洗浄液に浸し、フィルタの下面及び下面側内部の繊維から異物を剥離させる。その後、フィルタ４０に高圧ガスを噴射し、フィルタ４０の繊維から剥離した各異物をフィルタ４０の外部に押し出す。これによって、中・高性能のフィルタ４０を効果的に洗浄することができる。
【００３０】
なお、第二樹脂繊維４６ａは帯電性の繊維であっても非帯電性の繊維であってもよいが、帯電性繊維を使用した場合には、フィルタ４０の厚さＨＰ１をより薄くできるが、洗浄によって繊維の帯電性が低下してくるため、洗浄・リサイクル可能な回数が低下してくる。一方、非帯電性の繊維を使用した場合には、フィルタ４０の厚さＨＰが帯電性繊維を使用した場合よりも厚くなるが、洗浄による帯電性の低下がなく、洗浄・リサイクル可能な回数が多くなる。
【００３１】
以上説明したように、本実施形態のフィルタ４０は、金属等の洗浄に耐えうる枠４１の中に、洗浄時の水圧等による変形を抑制する支持体４５に数ミクロンの網目のフィルタ層４６を洗浄後の乾燥の際、においの発生が少ないウレタンスプレーの接着層４７で接着したものとしているため、フィルタ４０の性能低下、或いは圧力損失が上昇してきた際に、取り外して洗浄、再使用が可能となるものであり、且つ、先に説明したように、天井カセット式空調機１００の吸気グリル３４の内側に配置することが可能な薄さとなっている。したがって、従来のプレフィルタ或いはサランネットフィルタと互換性があり、これらの汎用フィルタを本実施形態のフィルタ４０に簡単に交換可能であり、簡便に室内空気の微小粒子を除去することができる。また、フィルタ４０の厚さＨＰは従来のサランネットフィルタ等と同様の厚さとなっており、フィルタ４０の交換間隔は短くなるが、本実施形態のフィルタ４０は使い捨てではなく、洗浄再使用が可能であることから、低いコストで簡便に中・高性能のフィルタ４０を天井カセット式空調機１００に取り付けて室内空気の清浄化を図ることができる。
【００３２】
次に、図７、図８を参照しながら本発明の他の実施形態について説明する。先に図１〜図６を参照して説明した実施形態と同様の部分には同様の符号を付して説明は省略する。
【００３３】
図７に示す天井カセット式空調機２００は、図３に示すように、ドレンパン２６、吸気ノズル２４の下端の位置が先に説明した天井カセット式空調機２００よりも低くなっており、ケーシング２１の中に収容されている各機器２３，２５，２６，２４の各下端面の内、最も下側に位置する下面２０ａが天井板１１の室内側面１３より天井板１１の上側に入っている距離が、図１に示す実施形態の場合の距離Ｄ１よりも小さい距離Ｄ２となっている。
【００３４】
また、図７、図８に示すように、フィルタ４０の厚さが先に図１から図６を参照して説明した実施形態の厚さＨＰ１よりも薄いＨＰ２となっている。このため、図７に示すように、吸気グリル３４の厚さＨＧとフィルタ４０の厚さＨＰ２の合計厚さ（ＨＧ＋ＨＰ２）は、天井化粧パネル３０の厚さＨ２と略同一となっており（Ｈ２＝ＨＧ＋ＨＰ２）、天井化粧パネル３０を組み付けた場合のフィルタ４０の上面とケーシング２１の中に収容されている各機器２３，２５，２６，２４の各下端面の内、最も下側に位置する下面２０ａとの間の距離はＤ２となっている。
【００３５】
本実施形態も先に説明した実施形態と同様の効果を奏するものであるが、フィルタ４０の厚さＨＰ２がより薄くなっているので、より薄い汎用フィルタとも互換性があり、このような薄い汎用フィルタが取り付けられていた天井カセット式空調機であっても、簡便に中・高性能フィルタに交換することが可能となる。
【符号の説明】
【００３６】
１１  天井板、１２  開口、１３  室内側面、２０  本体、２０ａ  下面、２１  ケーシング、２２  モータ、２３  送風機、２４  吸気ノズル、２５  熱交換器、２６  ドレンパン、２６ａ  凹部、２７  補強材、２８  ボルト、３０  天井化粧パネル、３０ａ  上面、３１  外枠、３２  空気吹き出し口、３２ａ  突出部、３４  吸気グリル、３４ａ  グリル枠、３５  グリル部、３６  ヒンジ、３７  開口、３８  ボルト穴、３９  ボルト、４０  フィルタ（薄型中・高性能フィルタ）、４１  枠、４２  濾材、４５  支持体、４６  フィルタ層、４６ａ  第二樹脂繊維、４７  接着層、４８  第一樹脂繊維、４８ａ  芯線、４８ｂ  鞘部、１００，２００  天井カセット式空調機。
【図１】
2017110826.tif 000003
【図２】
2017110826.tif 000004
【図３】
2017110826.tif 000005
【図４】
2017110826.tif 000006
【図５】
2017110826.tif 000007
【図６】
2017110826.tif 000008
【図７】
2017110826.tif 000009
【図８】
2017110826.tif 000010
【手続補正書】
【提出日】平成28年12月14日(2016.12.14)
【手続補正１】
【補正対象書類名】特許請求の範囲
【補正対象項目名】全文
【補正方法】変更
【補正の内容】
【特許請求の範囲】
【請求項１】
ケーシング内に送風機と熱交換器と付属機器とを収容し、天井板の上に配置される本体と、
四角形状で中央に略四角形状の開口を有し、天井板の室内側の面に前記本体に対向するように取り付けられる天井化粧パネルと、
略四角形状のグリル枠と、前記グリル枠の中央部に配置されて空気を吸い込む複数のスリットで構成されるグリル部と、を有し、前記グリル枠が前記天井化粧パネルの前記開口に嵌り込み、開放自在となるように前記グリル枠の一端部が前記天井化粧パネルに回転自在に取り付けられている吸気グリルと、
を含む天井カセット式空調機に用いられる洗浄可能な薄型中・高性能フィルタであって、
自己融着性の第一の樹脂繊維が網目状に絡み合って前記第一の樹脂繊維同士が自己融着した支持体と、前記第一の樹脂繊維よりも細い第二の樹脂繊維が網目状に絡み合って、その網目サイズが数μm以下であり、前記支持体に接着されるフィルタ層と、を含むプリーツ状の濾材と、
前記濾材の四周を支持する金属製の枠と、を含み、
前記吸気グリルの本体側の面に前記枠が固定具によって固定され、その厚さと前記吸気グリルの厚さとの合計厚さが、前記吸気グリルの室内側の表面と前記ケーシング内に収容されている前記各機器の各下端面の内の最も下側の面との距離よりも薄いこと、
を特徴とする洗浄可能な薄型中・高性能フィルタ。
【請求項２】
請求項１に記載の洗浄可能な薄型中・高性能フィルタであって、
その厚さと前記吸気グリルの厚さの合計厚さが前記天井化粧パネルの厚さと略同一であること、
を特徴とする洗浄可能な薄型中・高性能フィルタ。
【請求項３】
請求項１または２に記載の洗浄可能な薄型中・高性能フィルタであって、
前記第二の樹脂繊維は、非帯電繊維であること、
を特徴とする洗浄可能な薄型中・高性能フィルタ。
【請求項４】
請求項１から３のいずれか１項に記載の洗浄可能な薄型中・高性能フィルタであって、
前記第一の樹脂繊維はポリエチレンテレフタレート製であって、融点の高い糸状の芯線と芯線の回りを環状に覆い芯線よりも融点の低い鞘部とを有し、鞘部が溶融して芯線と鞘部とが溶着されていること、
を特徴とする洗浄可能な薄型中・高性能フィルタ。
【請求項５】
請求項１から４のいずれか１項に記載の洗浄可能な薄型中・高性能フィルタであって、
前記支持体と前記フィルタ層とはウレタンスプレー或いはホットメルトパウダー接着剤、又は超音波エンボスで接着されていること、
を特徴とする洗浄可能な薄型中・高性能フィルタ。
【手続補正２】
【補正対象書類名】明細書
【補正対象項目名】０００５
【補正方法】変更
【補正の内容】
【０００５】
この対策として、天井カセット式の空調機の吸気グリルの内側に汎用のサランネットフィルタに代えて中・高性能フィルタを配置することが考えられるが、設置スペースが狭いことから、通気面積が小さくなり、詰まりやすく、使い捨てで頻繁に廃棄、交換することが必要となってしまうという問題があった。
【手続補正３】
【補正対象書類名】明細書
【補正対象項目名】０００９
【補正方法】変更
【補正の内容】
【０００９】
本発明の洗浄可能な薄型中・高性能フィルタは、ケーシング内に送風機と熱交換器と付属機器とを収容し、天井板の上に配置される本体と、四角形状で中央に略四角形状の開口を有し、天井板の室内側の面に前記本体に対向するように取り付けられる天井化粧パネルと、略四角形状のグリル枠と、前記グリル枠の中央部に配置されて空気を吸い込む複数のスリットで構成されるグリル部と、を有し、前記グリル枠が前記天井化粧パネルの前記開口に嵌り込み、開放自在となるように前記グリル枠の一端部が前記天井化粧パネルに回転自在に取り付けられている吸気グリルと、を含む天井カセット式空調機に用いられる洗浄可能な薄型中・高性能フィルタであって、自己融着性の第一の樹脂繊維が網目状に絡み合って前記第一の樹脂繊維同士が自己融着した支持体と、前記第一の樹脂繊維よりも細い第二の樹脂繊維が網目状に絡み合って、その網目サイズが数μm以下であり、前記支持体に接着されるフィルタ層と、を含むプリーツ状の濾材と、前記濾材の四周を支持する金属製の枠と、を含み、前記吸気グリルの本体側の面に前記枠が固定具によって固定され、その厚さと前記吸気グリルの厚さとの合計厚さが、前記吸気グリルの室内側の表面と前記ケーシング内に収容されている前記各機器の各下端面の内の最も下側の面との距離よりも薄いこと、を特徴とする。
【手続補正４】
【補正対象書類名】明細書
【補正対象項目名】００１０
【補正方法】変更
【補正の内容】
【００１０】
本発明の洗浄可能な薄型中・高性能フィルタにおいて、その厚さと前記吸気グリルの厚さの合計厚さが前記天井化粧パネルの厚さと略同一である、としても好適である。
【手続補正５】
【補正対象書類名】明細書
【補正対象項目名】００１１
【補正方法】削除
【補正の内容】